(57)【要約】【課題】  用紙切れ時における業務効率の向上を簡易な構成で図る。【解決手段】  一方のプリンタで用紙切れが検知された場合には、当該プリンタにおける印字処理を停止し（Ｓ３またはＳ８）、少なくとも用紙補充作業を行う操作者の手が互いに干渉しない間隔を空けて設けられていて用紙切れが検知されていない他方のプリンタはそのまま印字処理を続行する（Ｓ４またはＳ９）。これにより、例えば印字処理中にジャーナル用紙が終わってしまった場合であっても、レシートプリンタとジャーナルプリンタとは、少なくとも用紙補充作業を行う操作者の手が互いに干渉しない間隔を空けて設けられていることから、レシートプリンタにおけるレシート印字処理を続行させたままでジャーナルプリンタにジャーナル用紙を補充する作業を行ったとしても何ら安全面に問題を生じることはないので、用紙切れ時における業務効率の向上を簡易な構成で図ることができる。【選択図】    図３
2006113652.tif 000002
【特許請求の範囲】
【請求項１】
レシート用紙に対する印字処理を行うレシートプリンタと、
前記レシートプリンタとは分離して設けられ、ジャーナル用紙に対する印字処理を行うジャーナルプリンタと、
前記レシートプリンタでの前記レシート用紙の有無を検知するレシート用紙切れセンサと、
前記ジャーナルプリンタでの前記ジャーナル用紙の有無を検知するジャーナル用紙切れセンサと、
前記レシート用紙切れセンサの出力に基づいて前記レシート用紙が切れたことを判定する手段と、
前記ジャーナル用紙切れセンサの出力に基づいて前記ジャーナル用紙が切れたことを判定する手段と、
前記レシート用紙切れセンサと前記ジャーナル用紙切れセンサとの何れか一方の用紙切れが判定された場合、用紙切れが判定されたプリンタについてのみ印字処理の停止処理を実行する手段と、
を備える商品販売データ処理装置。
【請求項２】
前記レシートプリンタを覆うためのレシートプリンタカバーと、
前記レシートプリンタカバーとは別に設けられた前記ジャーナルプリンタを覆うためのジャーナルプリンタカバーと、
を備える請求項１記載の商品販売データ処理装置。
【発明の詳細な説明】
【技術分野】
【０００１】
本発明は、ＰＯＳ（Point of Sales）端末やＥＣＲ（Electric Cash Register）などの商品販売データ処理装置に関する。
【背景技術】
【０００２】
一般に、この種の商品販売データ処理装置であるＰＯＳ端末やＥＣＲにおいては、通常の売上登録では、バーコードスキャナ等により商品の商品コードが入力されるとＰＬＵファイルを検索して入力された商品コードに対応する商品名や販売価格等の商品情報を読み出し、これらの商品情報に基づいて売上処理、商品名や価格等の表示処理及び印字処理を行うようにしている。印字処理は、売上登録処理された商品を、レシートプリンタにてレシート用紙にその都度印字し、あるいは売上登録完了後にレシート用紙に一括して印字するとともに、同様の内容をジャーナルプリンタにてジャーナル用紙に印字している。なお、レシート用紙に印字後は、一取引毎に切り離してレシートとして顧客に渡し、売上の明細としている。
【０００３】
ところで、このようなＰＯＳ端末等によれば、レシートプリンタ及びジャーナルプリンタの構造が一体型であったり、レシートプリンタとジャーナルプリンタとが隣り合って配置されているものが多い。したがって、レシート用紙もしくはジャーナル用紙の用紙切れが起こった場合には、安全面等を考慮して、レシートプリンタ及びジャーナルプリンタの両方の動作を停止し、終了した側の用紙を補充した後に印字動作を継続するようにしている。そのためレシート用紙もしくはジャーナル用紙の何れかに用紙切れが起こった場合には、業務が停止してしまい、顧客を待たせることになる。
【０００４】
そこで、特許文献１においては、レシートプリンタとジャーナルプリンタの両方に用紙カット手段と、スタンプ押下手段を備え、レシートプリンタ側の用紙切れが検出された際にジャーナル用紙がある場合には、ジャーナルプリンタをレシートプリンタとして切替制御し、ジャーナルの印字を中止しジャーナル用紙をカットしてスタンプを押下し、印字記憶部に書き込まれたレシート部の内容をジャーナルプリンタから印字するように制御する方式が提案されている。この方式によれば、売上登録中に用紙切れが生じた場合であっても、売上登録を継続して実行することができる。
【０００５】
【特許文献１】特開平９−２１８９８６号公報
【発明の開示】
【発明が解決しようとする課題】
【０００６】
しかしながら、特許文献１に記載されている方式によれば、レシートプリンタとジャーナルプリンタの両方に用紙カット手段とスタンプ押下手段とを備えなければならず、コスト高になってしまうという問題がある。
【０００７】
本発明は、用紙切れ時における業務効率の向上を簡易な構成で図ることを目的とする。
【課題を解決するための手段】
【０００８】
請求項１記載の発明の商品販売データ処理装置は、レシート用紙に対する印字処理を行うレシートプリンタと、前記レシートプリンタとは分離して設けられ、ジャーナル用紙に対する印字処理を行うジャーナルプリンタと、前記レシートプリンタでの前記レシート用紙の有無を検知するレシート用紙切れセンサと、前記ジャーナルプリンタでの前記ジャーナル用紙の有無を検知するジャーナル用紙切れセンサと、前記レシート用紙切れセンサの出力に基づいて前記レシート用紙が切れたことを判定する手段と、前記ジャーナル用紙切れセンサの出力に基づいて前記ジャーナル用紙が切れたことを判定する手段と、前記レシート用紙切れセンサと前記ジャーナル用紙切れセンサとの何れか一方の用紙切れが判定された場合、用紙切れが判定されたプリンタについてのみ印字処理の停止処理を実行する手段と、を備える。
【発明の効果】
【０００９】
請求項１記載の発明の商品販売データ処理装置によれば、例えば印字処理中にジャーナル用紙が終わってしまった場合であっても、レシートプリンタとジャーナルプリンタとは、分離して設けられていることから、レシートプリンタにおけるレシート印字処理を続行させたままでジャーナルプリンタにジャーナル用紙を補充する作業を行ったとしても何ら安全面に問題を生じることはないので、用紙切れ時における業務効率の向上を簡易な構成で図ることができる。
【発明を実施するための最良の形態】
【００１０】
[第一の実施の形態]
本発明の第一の実施の形態を図１ないし図３に基づいて説明する。本実施の形態の商品販売データ処理装置は、スーパーマーケットやコンビニエンスストア等で使用されるＰＯＳ（Point of Sales）端末に適用されている。
【００１１】
ここで、図１はＰＯＳ端末１を概略的に示す外観斜視図である。図１に示すように、このＰＯＳ端末１の筐体である本体ケース２の操作者から見て左側には、内蔵されているレシートプリンタ３（図２参照）を覆うためのプリンタカバー４が設けられており、そのプリンタカバー４にはレシートプリンタ３から取引単位でレシート用紙に印字されるレシート（図示せず）を発行するレシート発行口５が形成されている。一方、本体ケース２の操作者から見て右側には、内蔵されているジャーナルプリンタ６（図２参照）を覆うためのプリンタカバー７が設けられており、そのプリンタカバー７にはジャーナルプリンタ６でジャーナル用紙に印字されるジャーナル（図示せず）への筆記を受け付けるジャーナル窓８が形成されている。より詳細には、本実施の形態のＰＯＳ端末１においては、レシートプリンタ３とジャーナルプリンタ６とは、少なくとも用紙補充作業を行う操作者の手が互いに干渉しない間隔を空けて設けられている。
【００１２】
また、ＰＯＳ端末１の本体ケース２の操作者から見て中央部分には、すなわちレシートプリンタ３とジャーナルプリンタ６との間には、ＬＣＤ（Liquid Crystal Display）である表示器９が設けられている。さらに、ＰＯＳ端末１の本体ケース２の操作者から見て手前側には、各種のキーが集合するキーボード１０が設けられている。
【００１３】
このようなＰＯＳ端末１の電装系は図２に示すように構成されている。ＰＯＳ端末１は、ＣＰＵ（Central Processing Unit）や制御プログラムを格納するＲＯＭ（Read Only Memory）を主体に構成されるＰＯＳ制御部１１と、売上バッファや印字バッファ等の各種バッファが割り当てられるＲＡＭ（Random Access Memory）であるメモリ部１２とを保有し、バス１３を介して接続された通信Ｉ／Ｆ１４から、ホストコンピュータ（図示せず）との間で相互にオンライン通信を実行し得るように構成されている。
【００１４】
また、ＰＯＳ制御部１１には、バス１３及びＩ／Ｏ機器制御部１５を介して、前述したレシートプリンタ３、ジャーナルプリンタ６、表示器９、キーボード１０とともに、ＨＤＤ（Hard Disk Drive）１６や商品に付された商品コードを読み取るバーコードスキャナ１７が接続されている。レシートプリンタ３には、図２に示すように、レシート用紙が切れたことを検知するための用紙切れセンサ３ａが設けられている。ジャーナルプリンタ６には、図２に示すように、ジャーナル用紙が切れたことを検知するための用紙切れセンサ６ａが設けられている。
【００１５】
ＨＤＤ１６には、ＰＯＳ制御部１１のＣＰＵを動作させる制御プログラムの他、商品コードに対応付けて商品名や単価を記憶する商品マスタファイル、売上登録データを記憶する売上ファイル等が格納されている。商品マスタファイルは、商品コードに対応付けて分類コード、単価、商品名称、割引率等を格納するファイルである。なお、ＨＤＤ１６に格納されている商品マスタファイルは、ＰＯＳ端末１の起動時に、ＲＡＭに展開されて使用される。
【００１６】
ここで、ＰＯＳ端末１に内蔵されたＨＤＤ１６に格納された制御プログラムがＰＯＳ制御部１１のＣＰＵに実行させる機能の内、商品の販売に係る販売データ処理機能における処理動作について簡単に説明する。例えば、商品に付された商品コードをバーコードスキャナ１７によって読み取ると、ＣＰＵは読み取った商品コードに基づいて商品マスタファイルを検索し、該当する商品コードに対応した商品名や単価等を読み出し、商品コード、商品名、単価等に基づいて売上登録処理するとともに、部門別登録や表示器９への表示、またレシートプリンタ３及びジャーナルプリンタ６により印字出力を行い、さらに売上登録した売上登録データを売上ファイルに累計する。
【００１７】
次に、ＨＤＤ１６に格納された制御プログラムがＰＯＳ制御部１１のＣＰＵに実行させる機能のうち、本実施の形態のＰＯＳ端末１が備える特長的な機能である印字処理における用紙切れ検出処理について説明する。
【００１８】
図３は、印字処理における用紙切れ検出処理の流れを示すフローチャートである。図３に示すように、ＰＯＳ制御部１１のＣＰＵは、印字処理中に紙切れを検出した場合には（ステップＳ１）、紙切れ信号がレシートプリンタ３の用紙切れセンサ３ａから送信されたものか、ジャーナルプリンタ６の用紙切れセンサ６ａから送信されたものかを判断する（ステップＳ２）。
【００１９】
受信した紙切れ信号がレシートプリンタ３の用紙切れセンサ３ａから送信されたものであると判断した場合には（ステップＳ２のＹ）、レシートプリンタ３の印字は停止させるが（ステップＳ３）、ジャーナルプリンタ６の印字はそのまま継続させる（ステップＳ４）。本実施の形態においては、レシートプリンタ３における印字処理中にレシート用紙が無くなってしまった場合であっても、レシートプリンタ３とジャーナルプリンタ６とは、少なくとも用紙補充作業を行う操作者の手が互いに干渉しない間隔を空けて設けられていることから、ジャーナルプリンタ６におけるジャーナル印字処理を続行させたままでレシートプリンタ３にレシート用紙を補充する作業を行ったとしても何ら安全面に問題を生じることはない。
【００２０】
そして、レシートプリンタ３にレシート用紙が補充されて用紙切れセンサ３ａからの紙切れ信号を受信しなくなり（ステップＳ５のＹ）、キーボード１０上の所定のキー（例えば、Ｃキー）が押下されたと判断した場合には（ステップＳ６のＹ）、印字を停止させたプリンタ（この場合、レシートプリンタ３）の印字を再開する（ステップＳ７）。
【００２１】
一方、受信した紙切れ信号がジャーナルプリンタ６の用紙切れセンサ６ａから送信されたものであると判断した場合には（ステップＳ２のＮ）、ジャーナルプリンタ６の印字は停止させるが（ステップＳ８）、レシートプリンタ３の印字はそのまま継続させる（ステップＳ９）。本実施の形態においては、ジャーナルプリンタ６における印字処理中にジャーナル用紙が無くなってしまった場合であっても、レシートプリンタ３とジャーナルプリンタ６とは、少なくとも用紙補充作業を行う操作者の手が互いに干渉しない間隔を空けて設けられていることから、レシートプリンタ３におけるレシート印字処理を続行させたままでジャーナルプリンタ６にジャーナル用紙を補充する作業を行ったとしても何ら安全面に問題を生じることはない。
【００２２】
そして、ジャーナルプリンタ６にジャーナル用紙が補充されて用紙切れセンサ６ａからの紙切れ信号を受信しなくなり（ステップＳ１０のＹ）、キーボード１０上の所定のキー（例えば、Ｃキー）が押下されたと判断した場合には（ステップＳ６のＹ）、印字を停止させたプリンタ（この場合、ジャーナルプリンタ６）の印字を再開する（ステップＳ７）。
【００２３】
このように本実施の形態によれば、一方のプリンタで用紙切れが検知された場合には、当該プリンタにおける印字処理を停止し、分離して（少なくとも用紙補充作業を行う操作者の手が互いに干渉しない間隔を空けて）設けられていて用紙切れが検知されていない他方のプリンタはそのまま印字処理を続行することにより、例えば印字処理中にジャーナル用紙が終わってしまった場合であっても、レシートプリンタ３とジャーナルプリンタ６とは、分離して（少なくとも用紙補充作業を行う操作者の手が互いに干渉しない間隔を空けて）設けられていることから、レシートプリンタ３におけるレシート印字処理を続行させたままでジャーナルプリンタ６にジャーナル用紙を補充する作業を行ったとしても何ら安全面に問題を生じることはないので、用紙切れ時における業務効率の向上を簡易な構成で図ることができる。
【００２４】
[第二の実施の形態]
本発明の第二の実施の形態を図４に基づいて説明する。なお、前述の実施の形態で示した部分と同一部分は同一符号を用いて示し、説明も省略する。
【００２５】
ここで、図４はＰＯＳ端末２０を概略的に示す外観斜視図である。図４に示すように、このＰＯＳ端末２０の筐体である本体ケース２の操作者から見て左側には、内蔵されているレシートプリンタ３（図２参照）を覆うためのプリンタカバー４が設けられており、そのプリンタカバー４にはレシートプリンタ３から取引単位でレシート用紙に印字されるレシート（図示せず）を発行するレシート発行口５が形成されている。また、このレシートプリンタ３のプリンタカバー４の操作者から見て右側には、レシートプリンタ３とは分離して隣接して設けられているジャーナルプリンタ６（図２参照）を覆うためのプリンタカバー７が並設されており、そのプリンタカバー７にはジャーナルプリンタ６でジャーナル用紙に印字されるジャーナル（図示せず）への筆記を受け付けるジャーナル窓８が形成されている。つまり、本実施の形態のＰＯＳ端末１においては、レシートプリンタ３を覆うためのプリンタカバー４とジャーナルプリンタ６を覆うためのプリンタカバー７とは別々に設けられている。
【００２６】
また、ＰＯＳ端末１の本体ケース２の操作者から見て右側には、ＬＣＤ（Liquid Crystal Display）である表示器９が設けられている。さらに、ＰＯＳ端末１の本体ケース２の操作者から見て手前側には、各種のキーが集合するキーボード１０が設けられている。
【００２７】
ＰＯＳ端末１に内蔵されたＨＤＤ１６に格納された制御プログラムがＰＯＳ制御部１１のＣＰＵに実行させる機能のうち、本実施の形態のＰＯＳ端末１が備える特長的な機能である印字処理における用紙切れ検出処理については、第一の実施の形態で説明したので、説明は省略する。
【００２８】
このような構成により、レシートプリンタ３における印字処理中にレシート用紙が無くなってしまった場合であっても、レシートプリンタ３とジャーナルプリンタ６とが分離して隣接して設けられていて、レシートプリンタ３を覆うためのプリンタカバー４とジャーナルプリンタ６を覆うためのプリンタカバー７とは別々に設けられていることから、ジャーナルプリンタ６におけるジャーナル印字処理を続行させたままでレシートプリンタ３にレシート用紙を補充する作業を行ったとしても何ら安全面に問題を生じることはない。
【００２９】
また、ジャーナルプリンタ６における印字処理中にジャーナル用紙が無くなってしまった場合であっても、レシートプリンタ３を覆うためのプリンタカバー４とジャーナルプリンタ６を覆うためのプリンタカバー７とは別々に設けられていることから、レシートプリンタ３におけるレシート印字処理を続行させたままでジャーナルプリンタ６にジャーナル用紙を補充する作業を行ったとしても何ら安全面に問題を生じることはない。
【００３０】
このように本実施の形態によれば、一方のプリンタで用紙切れが検知された場合には、当該プリンタにおける印字処理を停止し、用紙切れが検知されていない他方のプリンタはそのまま印字処理を続行することにより、例えば印字処理中にジャーナル用紙が終わってしまった場合であっても、レシートプリンタ３とジャーナルプリンタ６とが分離して隣接して設けられていて、レシートプリンタ３を覆うためのプリンタカバー４とジャーナルプリンタ６を覆うためのプリンタカバー７とは別々に設けられていることから、レシートプリンタ３におけるレシート印字処理を続行させたままでジャーナルプリンタ６にジャーナル用紙を補充する作業を行ったとしても何ら安全面に問題を生じることはないので、用紙切れ時における業務効率の向上を簡易な構成で図ることができる。
【図面の簡単な説明】
【００３１】
【図１】本発明の第一の実施の形態のＰＯＳ端末を概略的に示す外観斜視図である。
【図２】ＰＯＳ端末の電装系を示すブロック図である。
【図３】印字処理における用紙切れ検出処理の流れを示すフローチャートである。
【図４】本発明の第二の実施の形態のＰＯＳ端末を概略的に示す外観斜視図である。
【符号の説明】
【００３２】
１，２０…商品販売データ処理装置、３…レシートプリンタ、３ａ…レシート用紙切れセンサ、４…プリンタカバー、６…ジャーナルプリンタ、６ａ…ジャーナル用紙切れセンサ、７…プリンタカバー
【図１】
2006113652.tif 000003
【図２】
2006113652.tif 000004
【図３】
2006113652.tif 000005
【図４】
2006113652.tif 000006